(57)【要約】【課題】板金扉に取り付けて使用した場合に、板金扉を破壊的に強く引いて変形させても、デッドボルトを受け部から外れないように又は外れにくくする。【解決手段】デッドボルト錠は、デッドボルトＤ３４がデッドボルト本体３とラッチ４とからなり、デッドボルト伸長機構を備え、通常、デッドボルトＤ３４を衝接部材に衝接させ通常の突出長さで受け部に係合させておき、扉に破壊的に外力が加えられ、デッドボルトＤ３４が受け部から引き離される非常の際に、デッドボルトＤ３４を扉枠側の衝接部材に追従して伸ばし、通常の突出長さよりも長い突出長さで受け部に係合するようにした。【選択図】図１
2015187377.tif 000002
【特許請求の範囲】
【請求項１】
扉に取り付けられる錠ケースと、前記錠ケースに装着され、前記錠ケース内で回動可能な先端部に突起を付設されたレバーを有するシリンダー錠と、前記錠ケース内に当該ケースの錠面から出没可能に配置され、前記シリンダー錠の前記回動レバーに前記突起を介して作動連結されるデッドボルトとを備え、前記シリンダー錠をキー操作により施錠方向に回動することにより、前記シリンダー錠に連動して前記デッドボルトが前記錠ケースの錠面から外側に突出して扉枠側の受け部に係合され、前記シリンダー錠をキー操作により解錠方向に回動することにより、前記デッドボルトが前記錠ケースの錠面から内側に引き込まれて、扉枠側の受け部から離脱される形式のデッドボルト錠において、
前記デッドボルトと前記シリンダー錠との間に、前記シリンダー錠をキー操作により施錠方向に回動することにより、前記シリンダー錠に連動して、前記デッドボルトを前記錠ケースの錠面から前記扉枠の受け部に係合可能な通常の突出長さを超える所定の突出長さまで弾性的に突出させるデッドボルト伸長機構を備え、
通常、前記錠ケースの錠面から外側に突出させる前記デッドボルトを、前記扉枠側の受け部近傍に設けた衝接面又は衝接部材に衝接させることにより、前記通常の突出長さで前記受け部に係合させ、
前記扉に破壊的に外力が加えられ、前記デッドボルトが前記受け部から引き離される非常の際に、前記デッドボルトが前記扉枠側の前記衝接面又は前記衝接部材に追従して伸び、前記通常の突出長さよりも長い突出長さで前記受け部に係合される、
ことを特徴とするデッドボルト錠。
【請求項２】
デッドボルト伸長機構は、
デッドボルト上にスライドガイドを介して前記デッドボルトの可動方向にスライド可能に配設される作動部材と、
前記デッドボルト本体に前記デッドボルトの可動方向に対して略直角方向に凸状に設けられる係合部と、
前記作動部材に前記デッドボルトの可動方向に対して略直角方向に突設され、前記作動部材の前記デッドボルト上での前記デッドボルトの突出方向へのスライドにより前記デッドボルトの前記係合部に係合押圧し、前記デッドボルトを前記錠ケースの錠面から突出させる突出方向係止部、及び前記作動部材の前記デッドボルト上での前記デッドボルトの引き込み方向へのスライドにより前記デッドボルトの前記係合部に係合押圧し、前記デッドボルトを前記錠ケースの錠面から内側に引き込む引き込み方向係止部と、
前記デッドボルト上で前記作動部材を常態として前記デッドボルトの突出方向に押圧付勢して、前記作動部材の前記突出方向係止部で前記デッドボルトの前記係合部を押圧して前記デッドボルトを前記錠ケースの錠面から外側へ通常の突出長さを超える所定の突出長さまで突出させるばね部材と、
前記作動部材の前記突出方向係止部で前記デッドボルトの前記係合部を押圧して前記デッドボルトを前記錠ケースの錠面から外側に通常の突出長さまで突出させた状態で前記シリンダー錠は施錠位置を取り、前記作動部材の前記引き込み方向係止部で前記デッドボルトの前記係合部を押圧して前記デッドボルトを前記錠ケースの錠面から内側の引き込み位置に引き込ませた状態で前記シリンダー錠は解錠位置を取り、前記シリンダー錠の施錠位置と解錠位置との間で回動される前記レバーの突起に係合可能に前記作動部材に形成され、前記作動部材を前記ばね部材の付勢力に抗して前記デッドボルトの引き込み方向に送り、前記作動部材の前記引き込み方向係止部で前記デッドボルトの前記係合部を押圧して前記デッドボルトを前記錠ケースの錠面から内側の引き込み位置に引き込ませる引き込みガイドと、
を備え、
通常、前記シリンダー錠をキーにより解錠位置に回動操作することにより、前記作動部材により前記デッドボルトを前記錠ケースの錠面から内側に引き込み、前記シリンダー錠をキーにより施錠位置に回動操作することにより、前記作動部材により前記デッドボルトを前記錠ケースの錠面から外側に突出させ、前記扉枠側の受け部近傍に設けた衝接面又は衝接部材に衝接させて前記通常の突出長さまで突出させて、前記扉枠側の受け部に係合させ、
前記扉に破壊的に外力が加えられ、前記デッドボルトが前記受け部から引き離される非常の際に、前記デッドボルトを前記衝接面又は衝接部材に追従させて前記通常の突出長さを超える所定の突出長さで前記受け部に係合させる、
請求項２に記載のデッドボルト錠。
【請求項３】
扉に取り付けられる錠ケースと、前記錠ケースに装着され、前記錠ケース内で回動可能な先端部に突起を付設されたレバーを有するシリンダー錠と、前記錠ケース内に当該ケースの錠面から出没可能に配置され、前記シリンダー錠の前記回動レバーに前記突起を介して作動連結されるデッドボルトとを備え、前記シリンダー錠をキー操作により施錠方向に回動することにより、前記シリンダー錠に連動して前記デッドボルトが前記錠ケースの錠面から外側に突出して扉枠側の受け部に係合され、前記シリンダー錠をキー操作により解錠方向に回動することにより、前記デッドボルトが前記錠ケースの錠面から内側に引き込まれて、扉枠側の受け部から離脱される形式のデッドボルト錠において、
前記デッドボルトは、デッドボルト本体と、前記デッドボルト本体に前記デッドボルト本体の先端部から出没可能に配設されるラッチとからなり、
前記デッドボルトと前記シリンダー錠との間に、前記シリンダー錠をキー操作により施錠方向に回動することにより、前記シリンダー錠に連動して、前記ラッチを前記デッドボルト本体の先端部から突出させて、前記デッドボルト本体を前記錠ケースの錠面から前記扉枠の受け部に係合可能な通常の突出長さを超える所定の突出長さまで弾性的に突出させるデッドボルト伸長機構を備え、
通常、前記錠ケースの錠面から外側に突出させる前記デッドボルトを、前記デッドボルト本体の先端部から突出する前記ラッチを介して、前記扉枠側の受け部近傍に設けた衝接面又は衝接部材に衝接させることにより、前記通常の突出長さで前記受け部に係合させ、
前記扉に破壊的に外力が加えられ、前記デッドボルトが前記受け部から引き離される非常の際に、前記デッドボルト本体が前記扉枠側の前記衝接面又は衝接部材に追従して伸び、前記通常の突出長さよりも長い突出長さで前記受け部に係合される、
ことを特徴とするデッドボルト錠。
【請求項４】
ラッチはデッドボルト本体上にスライドガイドを介して前記デッドボルトの可動方向にスライド可能に配設され、
デッドボルト伸長機構は、
前記デッドボルト本体に前記デッドボルトの可動方向に対して略直角方向に凸状に設けられる係合部と、
前記ラッチに前記デッドボルトの可動方向に対して略直角方向に突設され、前記ラッチの前記デッドボルト本体上での前記デッドボルトの突出方向へのスライドにより前記デッドボルト本体の前記係合部に係合押圧し、前記デッドボルト本体を前記錠ケースの錠面から突出させる突出方向係止部、及び前記ラッチの前記デッドボルト本体上での前記デッドボルトの引き込み方向へのスライドにより前記デッドボルト本体の前記係合部に係合押圧し、前記デッドボルト本体を前記錠ケースの錠面から内側に引き込む引き込み方向係止部と、
前記デッドボルト本体上で前記ラッチを常態として前記デッドボルトの突出方向に押圧付勢して、前記ラッチを前記デッドボルト本体の先端部から突出させるとともに、前記ラッチの前記突出方向係止部で前記デッドボルト本体の前記係合部を押圧して前記デッドボルト本体を前記錠ケースの錠面から外側へ通常の突出長さを超える所定の突出長さまで突出させるばね部材と、
前記ラッチの前記突出方向係止部で前記デッドボルト本体の前記係合部を押圧して前記デッドボルト本体を前記錠ケースの錠面から外側に通常の突出長さまで突出させた状態で、前記シリンダー錠は施錠位置を取り、前記ラッチの前記引き込み方向係止部で前記デッドボルト本体の前記係合部を押圧して前記デッドボルト本体を前記錠ケースの錠面から内側の引き込み位置に引き込ませた状態で、前記シリンダー錠は解錠位置を取り、前記シリンダー錠の施錠位置と解錠位置との間で回動される前記レバーのピンに係合可能に前記ラッチに形成され、前記ラッチを前記ばね部材の付勢力に抗して前記デッドボルトの引き込み方向に送り、前記ラッチの前記引き込み方向係止部で前記デッドボルト本体の前記係合部を押圧して前記デッドボルト本体を前記錠ケースの錠面から内側の引き込み位置に引き込ませる引き込みガイドと、
を備え、
通常、前記シリンダー錠をキーにより解錠位置に回動操作することにより、前記ラッチにより、前記デッドボルト本体を前記錠ケースの錠面から内側に引き込み、前記シリンダー錠をキーにより施錠位置に回動操作することにより、前記ラッチが前記デッドボルト本体の先端部から突出するとともに、前記ラッチにより前記デッドボルト本体を前記錠ケースの錠面から外側に突出させ、前記扉枠側の受け部近傍に設けた衝接面又は衝接部材に衝接させて前記通常の突出長さまで突出させて、前記扉枠側の受け部に係合させ、
前記扉に破壊的に外力が加えられ、前記デッドボルト本体が前記受け部から引き離される非常の際に、前記デッドボルト本体を前記衝接面又は衝接部材に追従させて前記通常の突出長さを超える突出長さで前記受け部に係合させる、
請求項３に記載のデッドボルト錠。
【請求項５】
扉に取り付けられる錠ケースと、前記錠ケースに装着され、前記錠ケース内で回動可能な先端部に突起を付設されたレバーを有するシリンダー錠と、前記錠ケース内に当該ケースの錠面から出没可能に配置され、前記シリンダー錠の前記レバーに前記突起を介して作動連結されるデッドボルトとを備え、前記シリンダー錠をキー操作により施錠方向に回動することにより、前記シリンダー錠に連動して前記デッドボルトが前記錠ケースの錠面から外側に突出して扉枠側の受け部に係合され、前記シリンダー錠をキー操作により解錠方向に回動することにより、前記デッドボルトが前記錠ケースの錠面から内側に引き込まれて、扉枠側の受け部から離脱される形式のデッドボルト錠において、
前記デッドボルトは、デッドボルト本体と、前記デッドボルト本体に前記デッドボルト本体の先端部から出没可能に配設されるラッチとからなり、
前記デッドボルト本体と前記ラッチとの間に、前記ラッチを前記デッドボルト本体の先端部から弾性的に突出させて、前記デッドボルトを前記錠ケースの錠面から前記扉枠の受け部に係合可能な通常の突出長さを超える所定の突出長さまで突出させるデッドボルト伸長機構を備え、
通常、前記錠ケースの錠面から外側に突出させる前記デッドボルトを、前記ラッチを前記扉枠側の受け部近傍に設けた衝接面又は衝接部材に衝接させて前記デッドボルト本体の先端部に没入することにより、前記通常の突出長さで前記受け部に係合させ、
前記扉に破壊的に外力が加えられ、前記デッドボルトが前記受け部から引き離される非常の際に、前記ラッチを前記受け部に追従して前記デッドボルト本体の先端部から突出させ、前記通常の突出長さよりも長い突出長さで前記受け部に係合させる、
ことを特徴とするデッドボルト錠。
【請求項６】
ラッチはデッドボルト本体の両側に沿って配置可能に形成され、
デッドボルト伸長機構は、
前記デッドボルト本体と前記ラッチとの間に設けられ、前記ラッチを前記デッドボルト本体の両側でデッドボルトの可動方向にスライド可能に案内するガイドと、
前記デッドボルト本体の両側で前記ラッチを常態として前記デッドボルトの突出方向に押圧付勢し、前記ラッチを前記デッドボルト本体の先端部から突出させて、前記デッドボルトを前記錠ケースの錠面から外側へ突出する通常の突出長さを超える所定の突出長さまで延ばすばね部材と、
を備え、
前記デッドボルト本体を前記ラッチとともに前記錠ケースの錠面から内側の引き込み位置に引き込ませた状態で、前記シリンダー錠は解錠位置を取り、前記デッドボルト本体を前記錠ケースの錠面から外側に通常の突出長さまで突出させた状態で、前記シリンダー錠は施錠位置を取り、
通常、前記シリンダー錠をキーにより解錠位置に回動操作することにより、前記デッドボルト本体を前記ラッチとともに前記錠ケースの錠面から内側に引き込み、前記シリンダー錠をキーにより施錠位置に回動操作することにより、前記デッドボルト本体を前記ラッチとともに前記錠ケースの錠面から外側に突出させ、前記ラッチを前記扉枠側の受け部近傍に設けた衝接面又は衝接部材に衝接させることにより前記デッドボルト本体の先端部に没入させて、前記デッドボルトを前記通常の突出長さで前記扉枠側の受け部に係合させ、
前記扉に破壊的に外力が加えられ、前記デッドボルトが前記受け部から引き離される非常の際に、前記デッドボルト本体の先端部から前記ラッチを前記衝接面又は衝接部材に追従させて、前記デッドボルトを前記通常の突出長さを超える突出長さで前記受け部に係合させる、
請求項５に記載のデッドボルト錠。
【発明の詳細な説明】
【技術分野】
【０００１】
本発明は、自動販売機やキャビネットなどの扉の施錠に使用するデッドボルト錠に関する。
【背景技術】
【０００２】
従来から、自動販売機やキャビネットなどの扉の施錠にデッドボルト錠が使用されている。
この種のデッドボルト錠は、例えば特許文献１に記載されているように、扉に取り付けられる錠ケースと、錠ケースに連結されるシリンダー錠と、錠ケース内に配置されてシリンダー錠（の回転カム）に作動連結されるデッドボルトとを備え、シリンダー錠をキー操作により施錠方向に回転することにより、このシリンダー錠に連動してデッドボルトが錠ケースの錠面から外側に突出して、扉枠側の受け部に係合され、また、シリンダー錠をキー操作により解錠方向に回転することにより、デッドボルトが錠ケースの錠面から内側に引き込まれて、扉枠側の受け部から離脱されるようになっている。なお、この場合、扉枠の受け部にはピンなどの係合部材が設けられ、デッドボルトが受け部に突出されると、デッドボルトの一方の側面が係合部材に当接して受け部に係合するようになっている。
【先行技術文献】
【特許文献】
【０００３】
【特許文献１】実用新案登録第３１２５６０７号公報
【発明の概要】
【発明が解決しようとする課題】
【０００４】
しかしながら、この種のデッドボルト錠は、板金扉に取り付けて使用する場合、特に板金が薄いと、板金扉は比較的小さな力を加えるだけでも簡単に変形するため、板金扉を破壊的に強く引けば、板金扉は変形し、扉側のデッドボルトと扉枠側の受け部が完全に係合されている状態でも、板金扉の変形とともに、デッドボルトが受け部から外れて、扉が開いてしまう、という問題がある。
【０００５】
本発明は、このような従来の問題を解決するもので、この種のデッドボルト錠において、板金扉に取り付けて使用する場合に、板金扉を破壊的に強く引いて変形させても、デッドボルトを受け部から外れないようにして又は外れにくくして、扉が開くのを防止すること、を目的とする。
【課題を解決するための手段】
【０００６】
上記目的を達成するために、本発明（１）は、
扉に取り付けられる錠ケースと、前記錠ケースに装着され、前記錠ケース内で回動可能な先端部に突起を付設されたレバーを有するシリンダー錠と、前記錠ケース内に当該ケースの錠面から出没可能に配置され、前記シリンダー錠の前記回動レバーに前記突起を介して作動連結されるデッドボルトとを備え、前記シリンダー錠をキー操作により施錠方向に回動することにより、前記シリンダー錠に連動して前記デッドボルトが前記錠ケースの錠面から外側に突出して扉枠側の受け部に係合され、前記シリンダー錠をキー操作により解錠方向に回動することにより、前記デッドボルトが前記錠ケースの錠面から内側に引き込まれて、扉枠側の受け部から離脱される形式のデッドボルト錠において、
前記デッドボルトと前記シリンダー錠との間に、前記シリンダー錠をキー操作により施錠方向に回動することにより、前記シリンダー錠に連動して、前記デッドボルトを前記錠ケースの錠面から前記扉枠の受け部に係合可能な通常の突出長さを超える所定の突出長さまで弾性的に突出させるデッドボルト伸長機構を備え、
通常、前記錠ケースの錠面から外側に突出させる前記デッドボルトを、前記扉枠側の受け部近傍に設けた衝接面又は衝接部材に衝接させることにより、前記通常の突出長さで前記受け部に係合させ、
前記扉に破壊的に外力が加えられ、前記デッドボルトが前記受け部から引き離される非常の際に、前記デッドボルトが前記扉枠側の前記衝接面又は前記衝接部材に追従して伸び、前記通常の突出長さよりも長い突出長さで前記受け部に係合される、
ことを要旨とする。
この場合、
デッドボルト伸長機構は、
デッドボルト上にスライドガイドを介して前記デッドボルトの可動方向にスライド可能に配設される作動部材と、
前記デッドボルト本体に前記デッドボルトの可動方向に対して略直角方向に凸状に設けられる係合部と、
前記作動部材に前記デッドボルトの可動方向に対して略直角方向に突設され、前記作動部材の前記デッドボルト上での前記デッドボルトの突出方向へのスライドにより前記デッドボルトの前記係合部に係合押圧し、前記デッドボルトを前記錠ケースの錠面から突出させる突出方向係止部、及び前記作動部材の前記デッドボルト上での前記デッドボルトの引き込み方向へのスライドにより前記デッドボルトの前記係合部に係合押圧し、前記デッドボルトを前記錠ケースの錠面から内側に引き込む引き込み方向係止部と、
前記デッドボルト上で前記作動部材を常態として前記デッドボルトの突出方向に押圧付勢して、前記作動部材の前記突出方向係止部で前記デッドボルトの前記係合部を押圧して前記デッドボルトを前記錠ケースの錠面から外側へ通常の突出長さを超える所定の突出長さまで突出させるばね部材と、
前記作動部材の前記突出方向係止部で前記デッドボルトの前記係合部を押圧して前記デッドボルトを前記錠ケースの錠面から外側に通常の突出長さまで突出させた状態で前記シリンダー錠は施錠位置を取り、前記作動部材の前記引き込み方向係止部で前記デッドボルトの前記係合部を押圧して前記デッドボルトを前記錠ケースの錠面から内側の引き込み位置に引き込ませた状態で前記シリンダー錠は解錠位置を取り、前記シリンダー錠の施錠位置と解錠位置との間で回動される前記レバーの突起に係合可能に前記作動部材に形成され、前記作動部材を前記ばね部材の付勢力に抗して前記デッドボルトの引き込み方向に送り、前記作動部材の前記引き込み方向係止部で前記デッドボルトの前記係合部を押圧して前記デッドボルトを前記錠ケースの錠面から内側の引き込み位置に引き込ませる引き込みガイドと、
を備え、
通常、前記シリンダー錠をキーにより解錠位置に回動操作することにより、前記作動部材により前記デッドボルトを前記錠ケースの錠面から内側に引き込み、前記シリンダー錠をキーにより施錠位置に回動操作することにより、前記作動部材により前記デッドボルトを前記錠ケースの錠面から外側に突出させ、前記扉枠側の受け部近傍に設けた衝接面又は衝接部材に衝接させて前記通常の突出長さまで突出させて、前記扉枠側の受け部に係合させ、
前記扉に破壊的に外力が加えられ、前記デッドボルトが前記受け部から引き離される非常の際に、前記デッドボルトを前記衝接面又は衝接部材に追従させて前記通常の突出長さを超える所定の突出長さで前記受け部に係合させる、
ことが好ましい。
【０００７】
上記目的を達成するために、本発明（２）は、
扉に取り付けられる錠ケースと、前記錠ケースに装着され、前記錠ケース内で回動可能な先端部に突起を付設されたレバーを有するシリンダー錠と、前記錠ケース内に当該ケースの錠面から出没可能に配置され、前記シリンダー錠の前記回動レバーに前記突起を介して作動連結されるデッドボルトとを備え、前記シリンダー錠をキー操作により施錠方向に回動することにより、前記シリンダー錠に連動して前記デッドボルトが前記錠ケースの錠面から外側に突出して扉枠側の受け部に係合され、前記シリンダー錠をキー操作により解錠方向に回動することにより、前記デッドボルトが前記錠ケースの錠面から内側に引き込まれて、扉枠側の受け部から離脱される形式のデッドボルト錠において、
前記デッドボルトは、デッドボルト本体と、前記デッドボルト本体に前記デッドボルト本体の先端部から出没可能に配設されるラッチとからなり、
前記デッドボルトと前記シリンダー錠との間に、前記シリンダー錠をキー操作により施錠方向に回動することにより、前記シリンダー錠に連動して、前記ラッチを前記デッドボルト本体の先端部から突出させて、前記デッドボルト本体を前記錠ケースの錠面から前記扉枠の受け部に係合可能な通常の突出長さを超える所定の突出長さまで弾性的に突出させるデッドボルト伸長機構を備え、
通常、前記錠ケースの錠面から外側に突出させる前記デッドボルトを、前記デッドボルト本体の先端部から突出する前記ラッチを介して、前記扉枠側の受け部近傍に設けた衝接面又は衝接部材に衝接させることにより、前記通常の突出長さで前記受け部に係合させ、
前記扉に破壊的に外力が加えられ、前記デッドボルトが前記受け部から引き離される非常の際に、前記デッドボルト本体が前記扉枠側の前記衝接面又は衝接部材に追従して伸び、前記通常の突出長さよりも長い突出長さで前記受け部に係合される、
ことを要旨とする。
この場合、
ラッチはデッドボルト本体上にスライドガイドを介して前記デッドボルトの可動方向にスライド可能に配設され、
デッドボルト伸長機構は、
前記デッドボルト本体に前記デッドボルトの可動方向に対して略直角方向に凸状に設けられる係合部と、
前記ラッチに前記デッドボルトの可動方向に対して略直角方向に突設され、前記ラッチの前記デッドボルト本体上での前記デッドボルトの突出方向へのスライドにより前記デッドボルト本体の前記係合部に係合押圧し、前記デッドボルト本体を前記錠ケースの錠面から突出させる突出方向係止部、及び前記ラッチの前記デッドボルト本体上での前記デッドボルトの引き込み方向へのスライドにより前記デッドボルト本体の前記係合部に係合押圧し、前記デッドボルト本体を前記錠ケースの錠面から内側に引き込む引き込み方向係止部と、
前記デッドボルト本体上で前記ラッチを常態として前記デッドボルトの突出方向に押圧付勢して、前記ラッチを前記デッドボルト本体の先端部から突出させるとともに、前記ラッチの前記突出方向係止部で前記デッドボルト本体の前記係合部を押圧して前記デッドボルト本体を前記錠ケースの錠面から外側へ通常の突出長さを超える所定の突出長さまで突出させるばね部材と、
前記ラッチの前記突出方向係止部で前記デッドボルト本体の前記係合部を押圧して前記デッドボルト本体を前記錠ケースの錠面から外側に通常の突出長さまで突出させた状態で、前記シリンダー錠は施錠位置を取り、前記ラッチの前記引き込み方向係止部で前記デッドボルト本体の前記係合部を押圧して前記デッドボルト本体を前記錠ケースの錠面から内側の引き込み位置に引き込ませた状態で、前記シリンダー錠は解錠位置を取り、前記シリンダー錠の施錠位置と解錠位置との間で回動される前記レバーのピンに係合可能に前記ラッチに形成され、前記ラッチを前記ばね部材の付勢力に抗して前記デッドボルトの引き込み方向に送り、前記ラッチの前記引き込み方向係止部で前記デッドボルト本体の前記係合部を押圧して前記デッドボルト本体を前記錠ケースの錠面から内側の引き込み位置に引き込ませる引き込みガイドと、
を備え、
通常、前記シリンダー錠をキーにより解錠位置に回動操作することにより、前記ラッチにより、前記デッドボルト本体を前記錠ケースの錠面から内側に引き込み、前記シリンダー錠をキーにより施錠位置に回動操作することにより、前記ラッチが前記デッドボルト本体の先端部から突出するとともに、前記ラッチにより前記デッドボルト本体を前記錠ケースの錠面から外側に突出させ、前記扉枠側の受け部近傍に設けた衝接面又は衝接部材に衝接させて前記通常の突出長さまで突出させて、前記扉枠側の受け部に係合させ、
前記扉に破壊的に外力が加えられ、前記デッドボルト本体が前記受け部から引き離される非常の際に、前記デッドボルト本体を前記衝接面又は衝接部材に追従させて前記通常の突出長さを超える突出長さで前記受け部に係合させる、
ことが好ましい。
【０００８】
上記目的を達成するために、本発明（３）は、
扉に取り付けられる錠ケースと、前記錠ケースに装着され、前記錠ケース内で回動可能な先端部に突起を付設されたレバーを有するシリンダー錠と、前記錠ケース内に当該ケースの錠面から出没可能に配置され、前記シリンダー錠の前記レバーに前記突起を介して作動連結されるデッドボルトとを備え、前記シリンダー錠をキー操作により施錠方向に回動することにより、前記シリンダー錠に連動して前記デッドボルトが前記錠ケースの錠面から外側に突出して扉枠側の受け部に係合され、前記シリンダー錠をキー操作により解錠方向に回動することにより、前記デッドボルトが前記錠ケースの錠面から内側に引き込まれて、扉枠側の受け部から離脱される形式のデッドボルト錠において、
前記デッドボルトは、デッドボルト本体と、前記デッドボルト本体に前記デッドボルト本体の先端部から出没可能に配設されるラッチとからなり、
前記デッドボルト本体と前記ラッチとの間に、前記ラッチを前記デッドボルト本体の先端部から弾性的に突出させて、前記デッドボルトを前記錠ケースの錠面から前記扉枠の受け部に係合可能な通常の突出長さを超える所定の突出長さまで突出させるデッドボルト伸長機構を備え、
通常、前記錠ケースの錠面から外側に突出させる前記デッドボルトを、前記ラッチを前記扉枠側の受け部近傍に設けた衝接面又は衝接部材に衝接させて前記デッドボルト本体の先端部に没入することにより、前記通常の突出長さで前記受け部に係合させ、
前記扉に破壊的に外力が加えられ、前記デッドボルトが前記受け部から引き離される非常の際に、前記ラッチを前記受け部に追従して前記デッドボルト本体の先端部から突出させ、前記通常の突出長さよりも長い突出長さで前記受け部に係合させる、
ことを要旨とする。
この場合、
ラッチはデッドボルト本体の両側に沿って配置可能に形成され、
デッドボルト伸長機構は、
前記デッドボルト本体と前記ラッチとの間に設けられ、前記ラッチを前記デッドボルト本体の両側でデッドボルトの可動方向にスライド可能に案内するガイドと、
前記デッドボルト本体の両側で前記ラッチを常態として前記デッドボルトの突出方向に押圧付勢し、前記ラッチを前記デッドボルト本体の先端部から突出させて、前記デッドボルトを前記錠ケースの錠面から外側へ突出する通常の突出長さを超える所定の突出長さまで延ばすばね部材と、
を備え、
前記デッドボルト本体を前記ラッチとともに前記錠ケースの錠面から内側の引き込み位置に引き込ませた状態で、前記シリンダー錠は解錠位置を取り、前記デッドボルト本体を前記錠ケースの錠面から外側に通常の突出長さまで突出させた状態で、前記シリンダー錠は施錠位置を取り、
通常、前記シリンダー錠をキーにより解錠位置に回動操作することにより、前記デッドボルト本体を前記ラッチとともに前記錠ケースの錠面から内側に引き込み、前記シリンダー錠をキーにより施錠位置に回動操作することにより、前記デッドボルト本体を前記ラッチとともに前記錠ケースの錠面から外側に突出させ、前記ラッチを前記扉枠側の受け部近傍に設けた衝接面又は衝接部材に衝接させることにより前記デッドボルト本体の先端部に没入させて、前記デッドボルトを前記通常の突出長さで前記扉枠側の受け部に係合させ、
前記扉に破壊的に外力が加えられ、前記デッドボルトが前記受け部から引き離される非常の際に、前記デッドボルト本体の先端部から前記ラッチを前記衝接面又は衝接部材に追従させて、前記デッドボルトを前記通常の突出長さを超える突出長さで前記受け部に係合させる、
ことが好ましい。
【発明の効果】
【０００９】
本発明（１）のデッドボルト錠によれば、デッドボルトとシリンダー錠との間に、シリンダー錠をキー操作により施錠方向に回動することにより、シリンダー錠に連動して、デッドボルトを錠ケースの錠面から扉枠側の受け部に係合可能な通常の突出長さを超える所定の突出長さまで弾性的に突出させるデッドボルト伸長機構を設け、通常、錠ケースの錠面から外側に突出させるデッドボルトを、扉枠側の受け部近傍に設けた衝接面又は衝接部材に衝接させることにより、通常の突出長さで受け部に係合させ、扉に破壊的に外力が加えられ、デッドボルトが受け部から引き離される非常の際に、デッドボルトを扉枠側の衝接面又は衝接部材に追従して伸ばし、通常の突出長さよりも長い突出長さで受け部に係合させるようにしたので、このデッドボルト錠を板金扉に取り付けて使用した場合に、板金扉を破壊的に強く引いて変形させても、デッドボルトを受け部から外れないようにして又は外れにくくして、扉が開くのを防止することができる。
【００１０】
本発明（２）のデッドボルト錠によれば、デッドボルトを、デッドボルト本体と、デッドボルト本体にこのデッドボルト本体の先端部から出没可能に配設されるラッチとにより構成し、このデッドボルトとシリンダー錠との間に、シリンダー錠をキー操作により施錠方向に回動することにより、シリンダー錠に連動して、ラッチをデッドボルトの先端部から突出させて、デッドボルト本体を錠ケースの錠面から扉枠の受け部に係合可能な通常の突出長さを超える所定の突出長さまで弾性的に突出させるデッドボルト伸長機構を設け、通常、錠ケースの錠面から外側に突出させるデッドボルトを、デッドボルト本体の先端部から突出するラッチを介して、扉枠側の受け部近傍に設けた衝接面又は衝接部材に衝接させることにより、通常の突出長さで受け部に係合させ、扉に破壊的に外力が加えられ、デッドボルトが受け部から引き離される非常の際に、デッドボルトを扉枠側の衝接面又は衝接部材に追従して伸ばし、通常の突出長さよりも長い突出長さで受け部に係合させるようにしたので、このデッドボルト錠を板金扉に取り付けて使用した場合に、板金扉を破壊的に強く引いて変形させても、デッドボルトを受け部から外れないようにして又は外れにくくして、扉が開くのを防止することができる。また、デッドボルト本体の先端部からラッチを延ばすようにしたことで、デッドボルトに十分な突出長さを確保することができる。
【００１１】
本発明（３）のデッドボルト錠によれば、デッドボルトを、デッドボルト本体と、デッドボルト本体にこのデッドボルト本体の先端部から出没可能に配設されるラッチとにより構成し、デッドボルト本体とラッチとの間に、ラッチをデッドボルト本体の先端部から弾性的に突出させて、デッドボルトを錠ケースの錠面から扉枠の受け部に係合可能な通常の突出長さを超える所定の突出長さまで突出させるデッドボルト伸長機構を設け、通常、錠ケースの錠面から外側に突出させるデッドボルトを、ラッチを扉枠側の受け部近傍に設けた衝接面又は衝接部材に衝接させてデッドボルト本体の先端部に没入することにより、通常の突出長さで前記受け部に係合させ、扉に破壊的に外力が加えられ、デッドボルトが受け部から引き離される非常の際に、ラッチを受け部に追従してデッドボルト本体の先端部から突出させ、通常の突出長さよりも長い突出長さで前記受け部に係合させるようにしたので、このデッドボルト錠を板金扉に取り付けて使用した場合に、板金扉を破壊的に強く引いて変形させても、デッドボルトを受け部から外れないようにして又は外れにくくして、扉が開くのを防止することができる。また、デッドボルト本体の先端部からラッチを延ばすようにしたことで、デッドボルトに十分な突出長さを確保することができる。
【図面の簡単な説明】
【００１２】
【図１】本発明の一実施の形態におけるデッドボルト錠の外観を示す斜視図
【図２】同デッドボルト錠の構成を示す図（（ａ）は正面図（ｂ）は水平断面図）
【図３】同デッドボルト錠のシリンダー錠のレバーの形状、構成を示す図（（ａ）は正面図（ｂ）は側面断面図）
【図４】同デッドボルト錠の特にデッドボルト本体の構成を示す図（（ａ）は正面図（ｂ）は底面図（ｃ）は水平断面図）
【図５】同デッドボルト錠の特にラッチの構成を示す図（（ａ）は正面図（ｂ）は底面図（ｃ）は水平断面図）
【図６】同デッドボルト錠を板金製の扉に取り付け、受け部としてピンを扉枠に取り付けた状態を示す図（（ａ）は水平断面図（ｂ）は正面図）
【図７】同デッドボルト錠を板金製の扉に取り付け、受け部としてプレートを扉枠に取り付けた状態を示す図（（ａ）は水平断面図（ｂ）は正面図）
【図８】同デッドボルト錠の動作を示す図（（ａ１）はデッドボルトが錠ケースに引き込まれた状態を示す一部破断正面図（ｂ１）は同水平断面図（ａ２）はデッドボルトが錠ケースから通常の突出長さで突出された状態を示す一部破断正面図（ｂ２）は同水平断面図（ａ３）はデッドボルトが錠ケースから通常の突出長さを超える非常時の突出長さで突出された状態を示す一部破断正面図（ｂ３）は同水平断面図）
【図９】本発明の他の実施の形態におけるデッドボルト錠の外観を示す斜視図
【図１０】同デッドボルト錠の構成を示す図（（ａ１）は施錠時の正面図（ｂ１）は施錠時の水平断面図（ａ２）は解錠時の正面図（ｂ２）は解錠時の水平断面図）
【図１１】同デッドボルト錠のシリンダー錠のレバーの形状、構成を示す図（（ａ）は正面図（ｂ）は側面図）
【図１２】同デッドボルト錠の特にデッドボルト本体の構成を示す図（（ａ）は正面図（ｂ）は底面図）
【図１３】同デッドボルト錠の特にラッチの構成を示す図（（ａ）は正面図（ｂ）は底面図）
【図１４】同デッドボルト錠を板金製の扉に取り付け、扉枠に受け部を取り付けた状態を示す図（（ａ）は正面図（ｂ）は底面図）
【図１５】同デッドボルト錠の動作を示す図（（ａ１）はデッドボルトが錠ケースに引き込まれた状態を示す一部省略正面図（ｂ１）は同水平断面図（ａ２）はデッドボルトが錠ケースから通常の突出長さで突出された状態を示す正面図（ｂ２）は同水平断面図（ａ３）はデッドボルトが錠ケースから通常の突出長さを超える非常時の突出長さで突出された状態を示す一部省略正面図（ｂ３）は同水平断面図）
【発明を実施するための形態】
【００１３】
次に、この発明を実施するための形態について図を用いて説明する。
図１及び図２にデッドボルト錠Ｕを示している。
図１及び図２に示すように、デッドボルト錠Ｕは、扉に取り付けられる錠ケース１と、錠ケース１に装着され、錠ケース１内で回動可能な先端部に突起２２１を付設されたレバー２２を有するシリンダー錠２と、錠ケース１内に当該ケース１の錠面１０１から出没可能に配置され、シリンダー錠２のレバー２２に突起２２１を介して作動連結されるデッドボルトＤ３４とを備え、シリンダー錠２をキー操作により施錠方向に回動することにより、シリンダー錠２に連動してデッドボルトＤ３４が錠ケース１の錠面１０１から外側に突出して扉枠側の受け部６１に係合され、シリンダー錠２をキー操作により解錠方向に回動することにより、デッドボルトＤ３４が錠ケース１の錠面１０１から内側に引き込まれて、扉枠側の受け部６１から離脱される形式を取る。
そして、このデッドボルト錠Ｕでは、特にデッドボルトＤ３４は、デッドボルト本体３と、デッドボルト本体３にこのデッドボルト本体３の先端部から出没可能に配設されるラッチ４とからなり、このデッドボルトＤ３４とシリンダー錠２との間に、シリンダー錠２をキー操作により施錠方向に回動することにより、シリンダー錠２に連動して、ラッチ４をデッドボルト本体３の先端部から突出させて、デッドボルト本体３を錠ケース１の錠面１０１から扉枠の受け部６１に係合可能な通常の突出長さを超える所定の突出長さまで弾性的に突出させるデッドボルト伸長機構５を備え、通常、錠ケース１の錠面１０１から外側に突出させるデッドボルトＤ３４を、デッドボルト本体３の先端部から突出するラッチ４を介して、扉枠側の受け部近傍に設けた衝接面又は衝接部材に衝接させることにより、通常の突出長さで受け部６１に係合させ、扉に破壊的に外力が加えられ、デッドボルトＤ３４が受け部６１から引き離される非常の際に、デッドボルト本体３が扉枠側の衝接面又は衝接部材に追従して伸び、通常の突出長さよりも長い突出長さで受け部６１に係合されるようになっている。
【００１４】
図１、図２に示すように、錠ケース１は、正面に開口を有する略ボックス形の本体ケース１０と、本体ケース１０の正面開口に取り付けられ、正面開口を塞ぐ蓋１１とにより構成される。この場合、本体ケース１０は、略矩形の箱形に形成され、背面と４側面とからなり、４側面のうちの１側面が錠面１０１でその中央にデッドボルトＤ３４の出没口１００が形成される。また、この本体ケース１０は背面の四隅に取付ねじのためのねじ挿通部１０２が形成され、その一方の対角線上の各ねじ挿通部１０２の内側近傍にねじ座１０３が取り付けられる。蓋１１は、本体ケース１０の正面開口に対応する略矩形のプレートからなり、四隅は取付ねじが挿通可能に切り欠かれ、本体ケース１０の各ねじ座１０３に対応する位置にねじ挿通部１１３が形成される。このようにして錠ケース１は、本体ケース１０内にデッドボルトＤ３４及びデッドボルト伸長機構５を構成する各部材が組み込まれ、本体ケース１０の正面開口に蓋１１が取り付けられて組み立てられる。なお、蓋１１は、各ねじ挿通部１１３から通されたねじが本体ケース１０の各ねじ座１０３に締結されて、本体ケース１０に取り付けられる。また、この錠ケース１内にはシリンダー錠２のレバー２２の回動エリア周辺の所定の位置に、レバー２２（の後述するストッパー係合部２２３）に係合し、レバー２２の回動を規制するストッパー１０４が併せて設けられる。
【００１５】
図１、図２に示すように、シリンダー錠２は、一般に知られているシリンダー錠で、ローター２１の正面から背面に向けて鍵孔２０が形成され、このローター２１の背面側の端部には先端部に突起２２１としてピンを有するレバー（回転カム）２２がローター２１の径方向に突出して取り付けられる。このシリンダー錠２は錠ケース１の蓋１１の略中央に連結され、レバー２２が本体ケース１０内に回動可能に配置されて、レバー２２のピン２２１が本体ケース１０の背面方向に向けて突出される。このようにしてシリンダー錠２の鍵孔２０にキー（図示省略）を差し込み、キーの回転操作により、錠ケース１内でレバー２２がシリンダー錠２の軸芯回りの所定の角度範囲に設定された所定の回動始端位置と所定の回動終端位置との間で回動可能に構成される。なお、レバー２２の形状、構成を図３に示す。この場合、レバー２２は、円形部２２０と、円形部２２０から突出され、片側一方の面にピン２２１を有するレバー部２２２と、円形部２２０からレバー部２２２の突出方向とは反対方向に凸状のストッパー係合部２２３とからなる。
【００１６】
図２に示すように、デッドボルトＤ３４はデッドボルト本体３とラッチ４とからなり、デッドボルト本体３上にラッチ４がスライドガイド３４を介してデッドボルトＤ３４の可動方向にスライド可能に配設される。
図４に示すように、デッドボルト本体３は正面視略コ字形に形成されて、一対の掛け金部３１、３２と、これら掛け金部３１、３２の基端部間を繋ぐ連結部３３とを有し、これら掛け金部３１、３２、連結部３３で囲まれる空間がラッチ４を配置するためのスペースで、各掛け金部３１、３２、連結部３３の内側側面がラッチ４をデッドボルトＤ３４の可動方向に移動案内するためのスライドガイド３４になっている。この場合、一対の掛け金部３１、３２はそれぞれ角形の細長い板状に形成され、このデッドボルトＤ３４の錠ケース１への組み込み時に正面側となる面が凹凸形状に形成される。錠ケース１への組み込み時に上側となる一方の掛け金部３１の正面側の面は基端部側の一部が凹状（以下、凹状部３１０という。）で、残部となる先端部側が凸状（以下、凸状部３１１という。）に形成され、錠ケース１への組み込み時に下側となる他方の掛け金部３２の正面側の面は先端部側の一部が凸状（以下、凸状部３２１という。）で、残部となる基端部側が凹状（以下、凹状部３２０という。）に形成される。また、各掛け金部３１、３２の凸状部３１１、３２１はそれぞれ同じ高さで、錠ケース１の錠面１０１の出没口１００に対応する断面形状になっている。また、各掛け金部３１、３２の凹状部３１０、３２０はそれぞれ同じ高さで、これらの凹状部３１０、３２０間は一方の掛け金部３１の凸状部３１１の基端側端部をシリンダー錠２のレバー２２の回動を規制するストッパー３１２とするシリンダー錠２のレバー２２の回動スペースをなし、シリンダー錠２のレバー２２は連結部３３の内面に対して略直角の回動始端位置と各掛け金部３１、３２の延びる方向に対して直角の回動終端位置、すなわちストッパー３２１との間で回動され、レバー２２の回動終端位置で、レバー２２のレバー部２２２と一方の掛け金部３１のストッパー３１２との係合、及びレバー２２のストッパー係合部２２３と錠ケース１内のストッパー１０４との係合により、レバー２２の回動が規制されるようになっている。連結部３３は各掛け金部３１、３２の凸状部３１１、３２１と同じ高さまで立ち上げられ、連結部３３の内面中央にばね部材３５１のための取付溝３５０が形成される。
また、このデッドボルト本体３には、デッドボルト伸長機構５の一部をなす（ラッチ４に係合可能な）係合部３６が設けられる。係合部３６はデッドボルト本体３にデッドボルトＤ３４の可動方向に対して略直角方向に凸状に形成される。この場合、係合部３６は一対の掛け金部３１、３２の内側側面間で各掛け金部３１、３２の先端部、基端部間の中央よりも少し先端部寄りの位置に連接して形成される。この係合部３６は断面四角形に形成され、各掛け金部３１、３２の先端部方向及び基端部方向に向けられる各面がラッチ４との係合面になっている。
図５に示すように、ラッチ４はデッドボルト本体３の各掛け金部３１、３２間に配置可能に正面視長方形に形成され、先端部は背面側が斜めに形成されてテーパー状になっている。この場合、ラッチ４は細長い略板状に形成され、デッドボルトＤ３４の錠ケース１への組み込み時に正面側となる面が、他方の掛け金部３２の正面側と同様に、先端部側の一部が凸状で残部となる基端部側が凹状（以下、凹状部４０という。）に形成され、この凹状部４０の基端部に近接する位置にシリンダー錠２のレバー２２のピン２２１が係合可能に引き込みガイド４３が形成される。引き込みガイド４３はラッチ４の下向きの一方の側面から上向きの他方の側面まで溝形に貫通して形成される。この溝は、下半分がストッパー溝４３０として、レバー２２のピン２２１が嵌合可能に四角形に形成され、上半分がレバー２２のピン２２１をレバー２２の回動方向に案内するガイド溝４３１として、ストッパー溝４３０の端部からラッチ４の上向きの他方の側面に向けて末広がりのテーパー状に形成される。
また、ラッチ４には、デッドボルト伸長機構５の一部をなす（デッドボルト本体３に係止可能な）突出方向係止部４１と引き込み方向係止部４２が設けられる。これら突出方向係止部４１と引き込み方向係止部４２はそれぞれ、ラッチ４にデッドボルトＤ３４の可動方向に対して略直角方向に突状に形成される。この場合、突出方向係止部４１と引き込み方向係止部４２はそれぞれ、ラッチ４の背面側の面のデッドボルト本体３の係合部３６に対応する位置から基端部方向に向けて所定の長さに、デッドボルト本体３の係合部３６が遊嵌可能に凹部４４を形成されて、その凹部４４の先端部側の面と基端部側の面に形成される。この凹部４４はラッチ４の背面に対して直角に形成され、凹部４４の基端部側の内面が突出方向係止部４１、凹部４４の先端部側の内面が引き込み方向係止部４２をなす。なお、このラッチ４の基端面にはデッドボルト伸長機構５の一部をなすばね部材３５１を取り付けるための取付溝４５が形成される。
このようにデッドボルトＤ３４はラッチ４がデッドボルト本体３上のスライドガイド３４に組み入れられて構成され、デッドボルト本体３の先端部から一方の掛け金部３１の凸状部３１１の基端側端部付近までの先端部側の一定の範囲が錠ケース１の錠面１０１から突出又は引き込まれる部分で、この部分を錠ケース１の錠面１０１の出没口１００に向け、デッドボルトＤ３４の正面を蓋１１側に、背面を本体ケース１０側にして、錠ケース１内に２つのねじ座１０３間に支持（挟持）されて配置され、このねじ座１０３及び錠面１０１の出没口１００をガイドにして、錠ケース１の錠面１０１から突出又は引き込み可能に組み込まれる。
【００１７】
デッドボルト伸長機構５は、デッドボルト本体３にデッドボルトＤ３４の可動方向に対して略直角方向に凸状に設けられる係合部３６と、ラッチ４にデッドボルトＤ３４の可動方向に対して略直角方向に突設され、ラッチ４のデッドボルト本体３上でのデッドボルトＤ３４の突出方向へのスライドによりデッドボルト本体３の係合部３６に係合し押圧して、デッドボルト本体３を錠ケース１の錠面１０１から突出させる突出方向係止部４１、及びラッチ４のデッドボルト本体３上でのデッドボルトＤ３４の引き込み方向へのスライドによりデッドボルト本体３の係合部３６に係合し押圧して、デッドボルト本体３を錠ケース１の錠面１０１から内側に引き込む引き込み方向係止部４２と、デッドボルト本体３上でラッチ４を常態としてデッドボルトＤ３４の突出方向に押圧付勢して、ラッチ４をデッドボルト本体３の先端部から突出させるとともに、ラッチ４の突出方向係止部４１でデッドボルト本体３の係合部３６を押圧してデッドボルト本体３を錠ケース１の錠面１０１から外側へ通常の突出長さを超える所定の突出長さまで突出させるばね部材３５１と、デッドボルト本体３に設けられ、デッドボルト本体３を錠ケース１の錠面１０１から外側に通常の突出長さを超える所定の突出長さまで突出された状態でシリンダー錠２のレバー２２の回動を規制するストッパー３１２と、ラッチ４の突出方向係止部４１でデッドボルト本体３の係合部３６を押圧してデッドボルト本体３を錠ケース１の錠面１０１から外側に通常の突出長さまで突出させた状態で、シリンダー錠２は施錠位置を取り、ラッチ４の引き込み方向係止部４２でデッドボルト本体３の係合部３６を押圧してデッドボルト本体３を錠ケース１の錠面１０１から内側の引き込み位置に引き込ませた状態で、シリンダー錠２は解錠位置を取り、この施錠位置と解錠位置との間で回動されるレバー２２のピン２２１に係合可能にラッチ４に形成され、ラッチ４をばね部材３５１の付勢力に抗してデッドボルトＤ３４の引き込み方向に送り、ラッチ４の引き込み方向係止部４２でデッドボルト本体３の係合部３６を押圧してデッドボルト本体３を錠ケース１の錠面１０１から内側の引き込み位置に引き込ませる引き込みガイド４３とを備える。
この場合、デッドボルト本体３の係合部３６はデッドボルト本体３の構成の説明の中で既に述べたとおりである。
ラッチ４の突出方向係止部４１及び引き込み方向係止部４２はラッチ４の構成の説明の中で既に述べたとおりである。
ばね部材３５１はコイルスプリングが使用され、このコイルスプリング３５１は一端がデッドボルト本体３の連結部３３内面の取付溝３５０に取り付け固定され、他端がラッチ４の基端面の取付溝４４に取り付け固定され、デッドボルト本体３上でラッチ４を常態としてデッドボルトＤ３４の突出方向に押圧付勢する。
デッドボルト本体３のストッパー３１２についてはデッドボルト本体３の構成の説明の中で既に述べたとおりである。
ラッチ４の引き込みガイド４３についてはラッチ４の構成の説明の中で既に述べたとおりである。
デッドボルト伸長機構５はかかる構成からなり、通常、シリンダー錠２をキーにより解錠位置に回動操作することにより、ラッチ４により、デッドボルト本体３を錠ケース１の錠面１０１から内側に引き込み、シリンダー錠２をキーにより施錠位置に回動操作することにより、ラッチ４がデッドボルト本体３の先端部から突出するとともに、ラッチ４によりデッドボルト本体３を錠ケース１の錠面１０１から外側に突出させ、扉枠側の受け部近傍に設けた衝接面又は衝接部材に衝接させて通常の突出長さまで突出させて、扉枠側の受け部６１に係合させ、また、扉に破壊的に外力が加えられ、デッドボルト本体３が受け部６１から引き離される非常の際に、デッドボルト本体３を衝接面又は衝接部材に追従させて通常の突出長さを超える所定の突出長さで受け部６１に係合させるようになっている。
なお、この場合、デッドボルトＤ３４を衝接させる扉枠側の衝接面として扉枠の内面が用いられてもよく、また、衝接部材として扉枠の内面に別の部材が設けられてもよい。別の部材とする場合は、受け部の取付部品を衝接部材として利用してもよく、専用の衝接部材を形成してもよい。図６、図７に受け部の取付部品を衝接部材とした場合を例示している。図６は受け部をピン６１とした場合で、この場合、扉枠の内面に断面略コ字形の軸受６２が中間部の平面固定部６２１を固定して取り付けられ、ピン６１は縦向きにこの軸受６２を介して配置されており、軸受６２中間部の平面固定部６２１をデッドボルトＤ３４の先端に対向させて衝接部材とした。図７は受け部をプレート（板材）６３のエッジとした場合で、この場合、扉枠の内面に断面略Ｊ字形のプレート６３が平面固定部６３１を固定して取り付けられ、プレート６３の曲面のエッジが縦向きにして配置されており、プレート６３の平面固定部６３１をデッドボルトＤ３４の先端に対向させて衝接部材とした。
【００１８】
図８にデッドボルト錠Ｕの動作を示している。なお、この場合、デッドボルト錠Ｕは板金扉に取り付けられ、その扉枠の内面にはデッドボルトＤ３４の受け部としてピン６１が設けられるものとする。
図８（ａ１）、（ｂ１）は、デッドボルト本体３が錠ケース１の錠面１０１から内側の所定のデッドボルト引き込み位置に引き込まれ、この錠ケース１内でラッチ４はデッドボルト本体３のスライドガイド３４内に引き込まれて、ラッチ４がデッドボルト本体３の先端部に没入された状態で、シリンダー錠２は解錠状態になっている。この場合、シリンダー錠２のレバー２２は回動始端位置にあって、レバー２２先端のピン２２１がラッチ４の引き込みガイド４３のストッパー溝４３０に係合されている。
この状態から、図８（ａ２）、（ｂ２）に示すように、シリンダー錠２の施錠操作によりレバー２２を回動始端位置から回動終端位置に向けて回動させると、レバー２２先端部のピン２２１は引き込みガイド４３のストッパー溝４３０からガイド溝４３１へ移動されてレバー２２によるラッチ４の移動規制が解除され、ラッチ４がデッドボルト本体３のスライドガイド３４内をばね部材３５１の付勢力によりデッドボルトＤ３４の突出方向にスライドされ、このラッチ４のスライドによりラッチ４の突出方向係止部４１がデッドボルト本体３の係合部３６に係合し押圧して、デッドボルト本体３がラッチ４とともに錠ケース１内を出没口１００に向けて移動し、出没口１００から外側に突出される。このとき、デッドボルト本体３は扉枠の受け部６１に係合可能に通常の突出長さまで突出されたところでデッドボルト本体３先端部から突出されるラッチ４が扉枠の衝接部材（軸受の中間固定部）に衝接し、扉枠のピン６１（受け部）に係合される。これにより、シリンダー錠２は施錠状態で、扉は施錠状態のデッドボルトＤ３４によりロックされる。
そして、このデッドボルト錠Ｕによる扉のロック状態で、扉に破壊的に外力が加えられ、デッドボルトＤ３４がピン６１から引き離される非常の際になると、図８（ａ３）、（ｂ３）に示すように、デッドボルト本体３がばね部材３５１の付勢力により扉枠側の衝接部材に追従して伸び、通常の突出長さよりも長い突出長さでピン６１に係合される。この伸長するデッドボルトＤ３４とピン６１との係合により、板金扉を破壊的に強く引いて変形させ、デッドボルトＤ３４に引張り方向の大きな力を作用させても、デッドボルトＤ３４はピン６１から外れない又は外れにくくなり、このデッドボルトＤ３４による扉のロック状態が維持される。
なお、扉を通常の施錠状態から解錠する場合は、シリンダー錠２の解錠操作によりレバー２２を回動終端位置から回動始端位置に向けて回動させると、図８（ａ２），（ｂ２）、及び図８（ａ１），（ｂ１）に示すように、レバー２２先端部のピン２２１がラッチ４の引き込みガイド４３のガイド溝４３１に係合し、このガイド溝４３１に沿って移動しながら、ラッチ４をデッドボルトＤ３４の引き込み方向に押圧して、ラッチ４がデッドボルト本体３のスライドガイド３４内をデッドボルトＤ３４の引き込み方向にスライドしてデッドボルト本体３の先端部に没入され、このラッチ４のスライドによりラッチ４の引き込み方向係止部４２がデッドボルト本体３の係合部３６に係合し押圧して、デッドボルト本体３がラッチ４とともに錠ケース１の出没口１００から錠ケース１内に移動し、出没口１００に没入される。この状態でレバー２２は回動始端位置に戻され、レバー２２先端のピン２２１がラッチ４のストッパー溝４３０に入り込み、この解錠状態が維持される。
【００１９】
以上説明したように、このデッドボルト錠Ｕによれば、デッドボルトＤ３４を、デッドボルト本体３と、デッドボルト本体３にこのデッドボルト本体３の先端部から出没可能に配設されるラッチ４とにより構成し、このデッドボルトＤ３４とシリンダー錠２との間にデッドボルト伸長機構５を設け、通常、錠ケース１の錠面１０１から外側に突出させるデッドボルトＤ３４を、デッドボルト本体３の先端部から突出するラッチ４を介して、扉枠側の受け部６１近傍に設けた衝接面又は衝接部材に衝接させることにより、通常の突出長さで受け部６１に係合させ、扉に破壊的に外力が加えられ、デッドボルトＤ３４が受け部６１から引き離される非常の際に、デッドボルト本体３を扉枠側の衝接面又は衝接部材に追従して伸ばし、通常の突出長さよりも長い突出長さで受け部６１に係合させるようにしたので、このデッドボルト錠Ｕを板金扉に取り付けて使用した場合に、板金扉を破壊的に強く引いて変形させても、デッドボルトＤ３４を受け部から外れないようにして又は外れにくくして、扉が開くのを防止することができる。また、デッドボルト本体３の先端からラッチ４を飛び出すようにしたことで、デッドボルトＤ３４それ自体に十分な突出長さを確保することができる。
【００２０】
なお、このデッドボルト錠Ｕでは、デッドボルトＤ３４に十分な突出長さを確保するために、デッドボルト本体３の先端部からラッチ４を飛び出すようにしたが、デッドボルト本体３のみで十分な突出長さを確保できる場合は、ラッチ４をデッドボルト本体３の先端部から飛び出す構造とせず、このラッチ４をデッドボルトＤ３４を作動させるための作動部材として構成してもよい。
この場合、デッドボルト錠は、扉に取り付けられる錠ケースと、錠ケースに装着され、錠ケース内で回動可能な先端に突起を付設されたレバーを有するシリンダー錠と、錠ケース内に当該ケースの錠面から出没可能に配置され、シリンダー錠の回動レバーに突起を介して作動連結されるデッドボルトとを備え、シリンダー錠をキー操作により施錠方向に回動することにより、シリンダー錠に連動してデッドボルトが錠ケースの錠面から外側に突出して扉枠側の受け部に係合され、シリンダー錠をキー操作により解錠方向に回動することにより、デッドボルトが錠ケースの錠面から内側に引き込まれて、扉枠側の受け部から離脱される形式において、デッドボルトとシリンダー錠との間に、シリンダー錠をキー操作により施錠方向に回動することにより、シリンダー錠に連動して、デッドボルトを錠ケースの錠面から扉枠の受け部に係合可能な通常の突出長さを超える所定の突出長さまで弾性的に突出させるデッドボルト伸長機構を備え、通常、錠ケースの錠面から外側に突出させるデッドボルトを、扉枠側の受け部近傍に設けた衝接面又は衝接部材に衝接させることにより、通常の突出長さで受け部に係合させ、扉に破壊的に外力が加えられ、デッドボルトが受け部から引き離される非常の際に、デッドボルトが扉枠側の衝接面又は衝接部材に追従して伸び、通常の突出長さよりも長い突出長さで受け部に係合されるものとする。
そして、デッドボルト伸長機構は、デッドボルト上にスライドガイドを介してデッドボルトの可動方向にスライド可能に配設される作動部材と、デッドボルト本体にデッドボルトの可動方向に対して略直角方向に凸状に設けられる係合部と、作動部材にデッドボルトの可動方向に対して略直角方向に突設され、作動部材のデッドボルト上でのデッドボルトの突出方向へのスライドによりデッドボルトの係合部に係合押圧し、デッドボルトを錠ケースの錠面から突出させる突出方向係止部、及び作動部材のデッドボルト上でのデッドボルトの引き込み方向へのスライドによりデッドボルトの係合部に係合押圧し、デッドボルトを錠ケースの錠面から内側に引き込む引き込み方向係止部と、デッドボルト上で作動部材を常態としてデッドボルトの突出方向に押圧付勢して、作動部材の突出方向係止部でデッドボルトの係合部を押圧してデッドボルトを錠ケースの錠面から外側へ通常の突出長さを超える所定の突出長さまで突出させるばね部材と、デッドボルトに設けられ、デッドボルトを錠ケースの錠面から外側に通常の突出長さを超える所定の突出長さまで突出された状態でシリンダー錠のレバーの回動を規制するストッパーと、作動部材の突出方向係止部でデッドボルトの係合部を押圧してデッドボルトを錠ケースの錠面から外側に通常の突出長さまで突出させた状態でシリンダー錠は施錠位置を取り、作動部材の引き込み方向係止部でデッドボルトの係合部を押圧してデッドボルトを錠ケースの錠面から内側の引き込み位置に引き込ませた状態でシリンダー錠は解錠位置を取り、このシリンダー錠の施錠位置と解錠位置との間で回動されるレバーの突起に係合可能に作動部材に形成され、作動部材をばね部材の付勢力に抗してデッドボルトの引き込み方向に送り、作動部材の引き込み方向係止部でデッドボルトの係合部を押圧してデッドボルトを錠ケースの錠面から内側の引き込み位置に引き込ませる引き込みガイドとを備え、通常、シリンダー錠をキーにより解錠位置に回動操作することにより、作動部材によりデッドボルトを錠ケースの錠面から内側に引き込み、シリンダー錠をキーにより施錠位置に回動操作することにより、作動部材によりデッドボルトを錠ケースの錠面から外側に突出させ、扉枠側の受け部近傍に設けた衝接面又は衝接部材に衝接させて通常の突出長さまで突出させて、扉枠側の受け部に係合させ、扉に破壊的に外力が加えられ、デッドボルトが受け部から引き離される非常の際に、デッドボルトを衝接面又は衝接部材に追従させて通常の突出長さを超える所定の突出長さで受け部に係合させるようにすればよい。
このようにしても、このデッドボルト錠を板金扉に取り付けて使用した場合に、板金扉を破壊的に強く引いて変形させても、デッドボルトを受け部から外れないようにして又は外れにくくして、扉が開くのを防止することができる。
【００２１】
図９及び図１０にまた別のデッドボルト錠Ｕ２を示している。
図９及び図１０に示すように、デッドボルト錠Ｕ２は、既述のデッドボルト錠Ｕと同様に、扉に取り付けられる錠ケースｓ１と、錠ケースｓ１に装着され、錠ケースｓ１内で回動可能な先端部に突起ｓ２２１を付設されたレバーｓ２２を有するシリンダー錠ｓ２と、錠ケースｓ１内に当該ケースｓ１の錠面ｓ１０１から出没可能に配置され、シリンダー錠ｓ２のレバーｓ２２に突起ｓ２２１を介して作動連結されるデッドボルトｓＤ３４とを備え、シリンダー錠ｓ２をキー操作により施錠方向に回動することにより、シリンダー錠ｓ２に連動してデッドボルトｓＤ３４が錠ケース１の錠面ｓ１０１から外側に突出して扉枠側の受け部に係合され、シリンダー錠ｓ２をキー操作により解錠方向に回動することにより、デッドボルトｓＤ３４が錠ケースｓ１の錠面ｓ１０１から内側に引き込まれて、扉枠側の受け部から離脱される形式を取る。
そして、このデッドボルト錠Ｕ２では、特にデッドボルトｓＤ３４は、デッドボルト本体ｓ３と、デッドボルト本体ｓ３にこのデッドボルト本体ｓ３の先端部から出没可能に配設されるラッチｓ４とからなり、このデッドボルト本体ｓ３とラッチｓ４との間に、ラッチｓ４をデッドボルト本体ｓ３の先端部から弾性的に突出させて、デッドボルトｓ３を錠ケースｓ１の錠面から扉枠の受け部に係合可能な通常の突出長さを超える所定の突出長さまで突出させるデッドボルト伸長機構ｓ５を備え、通常、錠ケースｓ１の錠面ｓ１０１から外側に突出させるデッドボルトｓＤ３４を、ラッチｓ４を扉枠側の受け部近傍に設けた衝接面又は衝接部材に衝接させてデッドボルト本体ｓ３の先端部に没入することにより、通常の突出長さで受け部に係合させ、扉に破壊的に外力が加えられ、デッドボルトｓ３が受け部から引き離される非常の際に、ラッチｓ４を受け部に追従してデッドボルト本体ｓ３の先端部から突出させ、通常の突出長さよりも長い突出長さで受け部に係合させるようになっている。
【００２２】
図９、図１０に示すように、錠ケースｓ１は、正面に開口を有する略ボックス形の本体ケースｓ１０と、本体ケースｓ１０の正面開口に取り付けられ、正面開口を塞ぐ蓋ｓ１１とにより構成される。この場合、本体ケースｓ１０は、略矩形の箱形に形成され、背面と４側面とからなり、４側面のうちの１側面が錠面ｓ１０１でその中央にデッドボルトｓＤ３４の出没口ｓ１００が形成される。また、この本体ケースｓ１０は背面の四隅に取付ねじのためのねじ挿通部ｓ１０２が形成され、その一方の対角線上の各ねじ挿通部ｓ１０２の内側近傍にねじ座ｓ１０３が取り付けられる。蓋ｓ１１は、本体ケースｓ１０の正面開口に対応する略矩形のプレートからなり、四隅は取付ねじが挿通可能に切り欠かれ、本体ケースｓ１０の各ねじ座ｓ１０３に対応する位置にねじ挿通部ｓ１１３が形成される。このようにして錠ケースｓ１は、本体ケースｓ１０内にデッドボルトｓＤ３４及びデッドボルト伸長機構ｓ５を構成する各部材が組み込まれ、本体ケースｓ１０の正面開口に蓋ｓ１１が取り付けられて組み立てられる。なお、蓋ｓ１１は、各ねじ挿通部ｓ１１３から通されたねじが本体ケースｓ１０の各ねじ座ｓ１０３に締結されて、本体ケースｓ１０に取り付けられる。また、この錠ケースｓ１内にはシリンダー錠ｓ２のレバーｓ２２の回動エリア周辺の所定の位置に、レバーｓ２２（の後述するストッパー係合部ｓ２２３）に係合し、レバーｓ２２の回動を規制するストッパー（図示省略）が併せて設けられ、レバーｓ２２が所定の回動始端位置と所定の回動終端位置との間で回動されるようになっている。
【００２３】
図９、図１０に示すように、シリンダー錠ｓ２は、ローターｓ２１の正面から背面に向けて鍵孔ｓ２０が形成され、このローターｓ２１の背面側の端部には先端部に突起ｓ２２１としてピンを有するレバー（回転カム）ｓ２２がローターｓ２１の径方向に突出して取り付けられる。このシリンダー錠ｓ２は錠ケースｓ１の蓋ｓ１１の略中央に連結され、レバーｓ２２が本体ケースｓ１０内に回動可能に配置されて、レバーｓ２２のピンｓ２２１が本体ケースｓ１０の背面方向に向けて突出される。このようにしてシリンダー錠ｓ２の鍵孔ｓ２０にキー（図示省略）を差し込み、キーの回転操作により、錠ケースｓ１内でレバーｓ２２がシリンダー錠ｓ２の軸芯回りの所定の角度範囲に設定された所定の回動始端位置（この位置がシリンダー錠ｓ２の解錠位置となる。）と所定の回動終端位置（この位置がシリンダー錠ｓ２の施錠位置となる。）との間で回動可能に構成される。なお、レバーｓ２２の形状、構成を図１１に示す。この場合、レバーｓ２２は、略なす形で、先端部が小径の円弧状に、基端部が大径の円弧状に形成されて、先端部の側面にピンｓ２２１が突設され、基端部の円弧状の部分の両端に本体ケースｓ１０内の図示されないストッパーに係合可能にストッパー係合部ｓ２２３が形成され、基端部がねじを介してローターｓ２１の端部に固定される。
【００２４】
図１０に示すように、デッドボルトｓＤ３４はデッドボルト本体ｓ３とラッチｓ４とからなり、ラッチｓ４はデッドボルト本体ｓ３の両側に沿って配置可能に形成され、デッドボルト本体ｓ３の両側に沿ってデッドボルトｓＤ３４の可動方向にスライド可能に配設される。
デッドボルト伸長機構ｓ５はデッドボルト本体ｓ３とラッチとｓ４の間に設けられ、ラッチｓ４をデッドボルト本体ｓ３の両側でデッドボルトｓＤ３４の可動方向にスライド可能に案内するガイドｓＧ３４と、デッドボルト本体ｓ３の両側でラッチｓ４を常態としてデッドボルトｓＤ３４の突出方向に押圧付勢し、ラッチｓ４をデッドボルト本体ｓ３の先端部から突出させて、デッドボルトｓＤ３４を錠ケースｓ１の錠面ｓ１０１から外側へ突出する通常の突出長さを超える所定の突出長さまで延ばすばね部材ｓ３８とを備える。
【００２５】
図１２に示すように、デッドボルト本体ｓ３は略平板状の基部ｓ３０と、基部ｓ３０の一側縁部から突出される掛け金部ｓ３３とを有し、基部ｓ３０にシリンダー錠ｓ２のレバーｓ２２のピンｓ２２１に作動連結され、シリンダー錠ｓ２をキー操作により施錠方向に回動することにより、シリンダー錠ｓ２に連動してデッドボルトｓＤ３４を錠ケースｓ１の錠面ｓ１０１から外側に突出させ、シリンダー錠ｓ２をキー操作により解錠方向に回動することにより、デッドボルトｓＤ３４を錠ケースｓ１の錠面ｓ１０１から内側に引き込むガイド穴ｓ３１が形成され、掛け金部ｓ３３にラッチｓ４をデッドボルトｓＤ３４の可動方向に移動案内するガイド面ｓ３４とガイドピンｓ３５が設けられる。
この場合、基部ｓ３０は正面視四角形の薄い平板状に形成され、一側縁部側の上部角部に近接する位置にガイド穴ｓ３１が貫通形成される。このガイド穴ｓ３１は上下縁部がそれぞれ水平方向に直線的に形成され、中央寄りの側縁部が垂直方向に直線的に形成されてこれがデッドボルトｓＤ３４を錠ケースｓ１の錠面ｓ１０１から内側に引き込むための引き込みガイドｓ３１１となし、一側縁部側の縁部上部が引き込みガイドｓ３１１と平行に、一側縁部側の縁部中間部が引き込みガイドｓ３１１から離れる方向に斜めに、一側縁部側の縁部下部が引き込みガイドｓ３１１と平行に形成されてこれがデッドボルトｓＤ３４を錠ケース１の錠面ｓ１０１から外側に突出させるための突出ガイドｓ３１２となす。また、この基部ｓ３０には一側縁部の上下部にそれぞれ、ばね部材ｓ３８を取り付けるための取付溝ｓ３２が形成される。
掛け金部ｓ３３は基部ｓ３０の一側縁部の中央に連続する正面視角形の細長い板状の部分ｓ３３１と、この板状の部分ｓ３３１の先端側に形成され、錠ケースｓ１の錠面ｓ１０１の出没口ｓ１００を挿通可能な正面視角形のブロック状の部分ｓ３３２とを有する。この掛け金部ｓ３３の板状の部分３３１の（錠ケースｓ１への組み込み時に）背面側となる面は断面コ字形の溝ｓ３６が形成されて、この溝ｓ３６のブロック状の部分ｓ３３２側の一側縁がデッドボルトｓＤ３４の可動方向に対して略直角方向に突状に設けられる面となし、ラッチｓ４の係合部ｓ４３に対して係合可能な被係合部ｓ３７をなす。
また、ブロック状の部分ｓ３３２の（錠ケースｓ１への組み込み時に）上下の両側面となる各面は平坦状に形成されてラッチｓ４のガイド面ｓ３４をなし、これらガイド面ｓ３４の中心部間にガイドピン挿通部ｓ３５０が貫通形成されて、このガイドピン挿通部ｓ３５０にガイドピンｓ３５が通され、これらのガイド面ｓ３４及びガイドピンｓ３５でラッチｓ４をデッドボルトｓＤ３４の可動方向に移動案内するようになっている。
図１３に示すように、ラッチｓ４は正面視略コ字形に形成されて、一対の掛け金部ｓ４１と、これら掛け金部ｓ４１の基端部間を繋ぐ連結部ｓ４２とを有し、これら掛け金部ｓ４１がデッドボルト本体ｓ３の掛け金部ｓ３３の上下両側に沿ってスライド可能に形成され、また、連結部ｓ４２の内側の面がデッドボルト本体ｓ３の被係合部ｓ３７に係合する係合部ｓ４３になっている。
この場合、一対の掛け金部ｓ４１はそれぞれデッドボルト本体ｓ３のブロック状の部分ｓ３３２よりも長い角形のブロック状に形成され、先端部は背面側が斜めに形成されてテーパー状になっている。また、これらの掛け金部ｓ４１の内側面には幅方向中間位置に水平方向に向けてデッドボルト本体ｓ３のガイドピンｓ３５に係合可能なガイド溝ｓ４１１が形成される。
連結部ｓ４２は各掛け金部ｓ４１の基端部間で（錠ケースｓ１への組み込み時に）各掛け金部ｓ４１の背面側となる側に寄せて角形のブロック状に形成され、この連結部ｓ４２の内側面がデッドボルトｓＤ３４の可動方向に対して略直角方向に突状に設けられる面となし、デッドボルト本体ｓ３の被係合部ｓ３７に対して係合可能な係合部ｓ４３をなす。また、この連結部ｓ４２の外側面で上下両端にはそれぞれ、デッドボルト本体ｓ３の一側縁部の各取付溝部ｓ３２に対向してばね部材ｓ３８を取り付けるための取付溝ｓ４４が形成される。
このようにしてラッチｓ４は各掛け金部ｓ４１がデッドボルト本体ｓ３の掛け金部ｓ３３の両側のガイド面ｓ３４に沿って並列に、また、ラッチｓ４の係合部ｓ４３とデッドボルト本体ｓ３の被係合部ｓ３７が係合可能に相互に対向して配置され、デッドボルト本体ｓ３の掛け金部ｓ３３に通されたガイドピンｓ３５がラッチｓ４の各掛け金部ｓ４１のガイド溝ｓ４１１に挿入されて、ラッチｓ４がデッドボルト本体ｓ３の両側でスライド可能に組み立てられ、このデッドボルト本体ｓ３の掛け金部ｓ３３の各ガイド面ｓ３４、ガイドピンｓ３５、及び被係合部ｓ３７と、ラッチｓ４の各掛け金部ｓ４１の各ガイド溝ｓ４１１及び連結部ｓ４２の係合部ｓ４３とにより、デッドボルト伸長機構５のガイドｓＧ３４が構成される。そして、これらラッチｓ４の連結部ｓ４２の各取付溝ｓ４４とこれに対向するデッドボルト本体ｓ３の基部ｓ３０の各取付溝ｓ３２との間にコイルスプリングｓ３８（図１０参照）が取り付けられて、このコイルスプリングｓ３８の付勢力により、常態として、ラッチｓ４はデッドボルト本体ｓ３の両側で先端部方向に押圧され、ラッチｓ４の係合部ｓ４３とデッドボルト本体ｓ３の被係合部ｓ３７が係合して、デッドボルト本体ｓ３の先端部から所定の長さだけ弾性的に突出された状態を取る。このコイルスプリングｓ３８がデッドボルト伸長機構５のばね部材ｓ３８をなす。
【００２６】
デッドボルトｓＤ３４及びデッドボルト伸長機構ｓ５はかかる構成からなり、図１０に示すように、デッドボルト本体ｓ３をラッチｓ４とともに錠ケースｓ１の錠面ｓ１０１から内側の引き込み位置に引き込ませた状態で、シリンダー錠ｓ２が解錠位置を取り、デッドボルト本体ｓ３を錠ケースｓ１の錠面１０１から外側に通常の突出長さまで突出させた状態で、シリンダー錠ｓ２が施錠位置を取り、通常、シリンダー錠ｓ２をキーにより解錠位置に回動操作することにより、デッドボルト本体ｓ３をラッチｓ４とともに錠ケースｓ１の錠面ｓ１０１から内側に引き込み、シリンダー錠ｓ２をキーにより施錠位置に回動操作することにより、デッドボルト本体ｓ３をラッチｓ４とともに錠ケースｓ１の錠面ｓ１０１から外側に突出させ、ラッチｓ４を扉枠側の受け部近傍に設けた衝接面又は衝接部材に衝接させることによりデッドボルト本体ｓ３の先端部に没入させて、デッドボルトｓＤ３４を通常の突出長さで扉枠側の受け部に係合させ、扉に破壊的に外力が加えられ、デッドボルトｓＤ３４が受け部から引き離される非常の際に、デッドボルト本体ｓ３の先端部からラッチｓ４を衝接面又は衝接部材に追従させて、デッドボルトｓＤ３４を通常の突出長さを超える突出長さで受け部に係合させるようになっている。
なお、この場合も、デッドボルトｓＤ３４を衝接させる扉枠側の衝接面として扉枠の内面が用いられてもよく、また、衝接部材として扉枠の内面に別の部材が設けられてもよい。別の部材とする場合は、受け部の一部を衝接面として利用してもよく、専用の衝接部材を形成してもよい。図１４にこのデッドボルト錠Ｕ２の受け部ｓ６１の一例を示している。図１４に示すように、この受け部ｓ６１は縦に細長い平板部ｓ６１１と、この平板部ｓ６１１の一側部から直角方向に延びる水平断面が中心角９０°の扇形状のブロック部ｓ６１２とからなり、平板部ｓ６１１の上下にそれぞれ取付ねじ挿通部が穿設されてこの平板部ｓ６１１が扉枠の内面にねじにより取り付けられ、この平板部ｓ６１１の平面に対して直角のブロック部ｓ６１２の平面にデッドボルト錠Ｕ２のデッドボルトｓＤ３４が係合されるようになっている。この受け部ｓ６１の場合、平板部ｓ６１１の中間部が開口されていて、その上下の部分がデッドボルトｓＤ３４の衝接面となる。
【００２７】
図１５にデッドボルト錠Ｕ２の動作を示している。なお、この場合、デッドボルト錠Ｕ２は板金扉に取り付けられ、その扉枠の内面に図１４に示す受け部ｓ６１が取り付けられているものとする。
図１５（ａ１）、（ｂ１）は、デッドボルト本体ｓ３がラッチｓ４とともに錠ケースｓ１の錠面ｓ１０１から内側の所定のデッドボルト引き込み位置に引き込まれ、シリンダー錠ｓ２は解錠状態になっている。この場合、シリンダー錠ｓ２のレバーｓ２２は回動始端位置にあって、レバーｓ２２先端のピンｓ２２１がデッドボルト本体ｓ３のガイド穴ｓ３１の引き込みガイドｓ３１１に係合されている。
この状態から、シリンダー錠ｓ２の施錠操作によりレバーｓ２２を回動始端位置から回動終端位置に向けて回動させると、レバーｓ２２先端部のピンｓ２２１は引き込みガイドｓ３１１から突出ガイドｓ３１２へ移動されてこの突出ガイドｓ３１２に係合し押圧して、図１５（ａ２）、（ｂ２）に示すように、デッドボルト本体ｓ３がラッチｓ４とともに錠ケースｓ１内を出没口ｓ１００に向けて移動し、出没口ｓ１００から外側に突出される。このとき、デッドボルト本体ｓ３は扉枠の受け部ｓ６１に係合可能に通常の突出長さまで突出されたところでデッドボルト本体ｓ３の両側のラッチｓ４がデッドボルト本体ｓ３先端部の位置で扉枠の受け部ｓ６１の衝接面に衝接し、受け部ｓ６１に係合される。これにより、シリンダー錠ｓ２は施錠状態で、扉は施錠状態のデッドボルトｓＤ３４によりロックされる。
そして、このデッドボルト錠Ｕ２による扉のロック状態で、扉に破壊的に外力が加えられ、デッドボルトｓＤ３４が受け部ｓ６１から引き離される非常の際になると、図１５（ａ３）、（ｂ３）に示すように、デッドボルト本体ｓ３の両側のラッチｓ４がデッドボルト本体ｓ３の先端部からコイルスプリングｓ３８の付勢力により受け部ｓ６１の衝接面に追従して突出し（伸び）、通常の突出長さよりも長い突出長さで受け部ｓ６１に係合される。この伸長するデッドボルトｓＤ３４と受け部ｓ６１との係合により、板金扉を破壊的に強く引いて変形させ、デッドボルトｓＤ３４に引張り方向の大きな力を作用させても、デッドボルトｓＤ３４は受け部ｓ６１から外れない又は外れにくくなり、このデッドボルトｓＤ３４による扉のロック状態が維持される。
なお、扉を通常の施錠状態から解錠する場合は、シリンダー錠ｓ２の解錠操作によりレバーｓ２２を回動終端位置から回動始端位置に向けて回動させると、図１５（ａ１），（ｂ１）に示すように、レバーｓ２２先端部のピンｓ２２１がデッドボルト本体ｓ３のガイド穴ｓ３１の突出ガイドｓ３１２から引き込みガイドｓ３１１へ移動されてこの引き込みガイドｓ３１１に係合し押圧して、デッドボルト本体ｓ３がラッチｓ４とともに錠ケースｓ１の出没口ｓ１００から錠ケースｓ１内に移動し、出没口ｓ１００に没入される。この状態でレバーｓ２２は回動始端位置に戻され、シリンダー錠ｓ２は解錠状態となる。
【００２８】
以上説明したように、このデッドボルト錠Ｕ２によれば、デッドボルトｓＤ３４を、デッドボルト本体ｓ３と、デッドボルト本体ｓ３にこのデッドボルト本体ｓ３の先端部から出没可能に配設されるラッチｓ４とにより構成し、このデッドボルト本体ｓ３とラッチｓ４との間にデッドボルト伸長機構ｓ５を設け、通常、錠ケースｓ１の錠面ｓ１０１から外側に突出させるデッドボルトｓＤ３４を、ラッチｓ４を扉枠側の受け部ｓ６１近傍に設けた衝接面又は衝接部材に衝接させてデッドボルト本体ｓ３の先端部に没入することにより、通常の突出長さで受け部ｓ６１に係合させ、扉に破壊的に外力が加えられ、デッドボルトｓ３が受け部ｓ１から引き離される非常の際に、ラッチｓ４を受け部ｓ６１に追従させてデッドボルト本体ｓ３の先端部から突出させ、通常の突出長さよりも長い突出長さで受け部ｓ６１に係合させるようにしたので、このデッドボルト錠Ｕ２を板金扉に取り付けて使用した場合に、板金扉を破壊的に強く引いて変形させても、デッドボルトｓＤ３４を受け部ｓ６１から外れないようにして又は外れにくくして、扉が開くのを防止することができる。また、デッドボルト本体ｓ３の両側で先端部からラッチｓ４を飛び出すようにしたことで、デッドボルトｓＤ３４それ自体に十分な突出長さを確保することができる。
【符号の説明】
【００２９】
Ｕ  デッドボルト錠
１  錠ケース
１０  本体ケース
１００  出没口
１０１  錠面
１０２  ねじ挿通部
１０３  ねじ座
１０４  ストッパー
１１  蓋
１１３  ねじ挿通部
２  シリンダー錠
２０  鍵孔
２１  ローター
２２  レバー（回転カム）
２２０  円形部
２２１  突起（ピン）
２２２  レバー部
２２３  ストッパー係合部
Ｄ３４  デッドボルト
３  デッドボルト本体
３１  掛け金部
３１０  凹状部
３１１  凸状部
３１２  ストッパー
３２  掛け金部
３２０  凹状部
３２１  凸状部
３３  連結部
３４  スライドガイド
３５０  取付溝
３５１  ばね部材（コイルスプリング）
３６  係合部
４  ラッチ
４０  凹状部
４１  突出方向係止部
４２  引き込み方向係止部
４３  引き込みガイド
４３０  ストッパー溝
４３１  ガイド溝
４４  凹部
４５  取付溝
５  デッドボルト伸長機構
６１  ピン（受け部）
６２  軸受
６２１  平面固定部
６３  プレート（受け部）
６３１  平面固定部
Ｕ２  デッドボルト錠
ｓ１  錠ケース
ｓ１０  本体ケース
ｓ１００  出没口
ｓ１０１  錠面
ｓ１０２  ねじ挿通部
ｓ１０３  ねじ座
ｓ１１  蓋
ｓ１１３  ねじ挿通部
ｓ２  シリンダー錠
ｓ２０  鍵孔
ｓ２１  ローター
ｓ２２  レバー（回転カム）
ｓ２２１  突起（ピン）
ｓ２２２  レバー部
ｓ２２３  ストッパー係合部
ｓＤ３４  デッドボルト
ｓＧ３４  ガイド
ｓ３  デッドボルト本体
ｓ３０  基部
ｓ３１  ガイド穴
ｓ３１１  引き込みガイド
ｓ３１２  突出ガイド
ｓ３２  取付溝
ｓ３３  掛け金部
ｓ３３１  板状の部分
ｓ３３２  ブロック状の部分
ｓ３４  ガイド面
ｓ３５  ガイドピン
ｓ３５０  ガイドピン挿通部
ｓ３６  溝
ｓ３７  被係合部
ｓ３８  ばね部材（コイルスプリング）
ｓ４  ラッチ
ｓ４１  掛け金部
ｓ４１１  ガイド溝
ｓ４２  連結部
ｓ４３  係合部
ｓ４４  取付溝
ｓ５  デッドボルト伸長機構
ｓ６１  受け部
ｓ６１１  平板部
ｓ６１２  ブロック部
【図１】
2015187377.tif 000003
【図２】
2015187377.tif 000004
【図３】
2015187377.tif 000005
【図４】
2015187377.tif 000006
【図５】
2015187377.tif 000007
【図６】
2015187377.tif 000008
【図７】
2015187377.tif 000009
【図８】
2015187377.tif 000010
【図９】
2015187377.tif 000011
【図１０】
2015187377.tif 000012
【図１１】
2015187377.tif 000013
【図１２】
2015187377.tif 000014
【図１３】
2015187377.tif 000015
【図１４】
2015187377.tif 000016
【図１５】
2015187377.tif 000017